(57)【要約】  【課題】充電時間を長くすることなく、電池の劣化度をより正確に算出することができるようにする。  【解決手段】電池パックは、１または２以上の電池１ａと、電池１ａに対する充電をＯＮ／ＯＦＦするスイッチ部４と、電池１ａの開放電圧を測定する測定部３と、スイッチ部４により充電のＯＮ／ＯＦＦが１０回以上繰り返された後、測定部３により測定された開放電圧に基づき、電池１ａの劣化度を算出する劣化度算出部２とを備える。１または２以上の電池１ａに対する充電のＯＮ／ＯＦＦを１０回以上繰り返した後、電池１ａの開放電圧を測定するので、電池１ａの開放電圧を安定させた後に開放電圧を測定することができる。【選択図】図１
2008041280.tif 000002
【特許請求の範囲】
【請求項１】
１または２以上の電池と、
上記電池に対する充電をＯＮ／ＯＦＦするスイッチ部と、
上記電池の開放電圧を測定する測定部と、
上記スイッチ部により充電のＯＮ／ＯＦＦが１０回以上繰り返された後、上記測定部により測定された開放電圧に基づき、上記電池の劣化度を算出する劣化度算出部と
を備えることを特徴とする電池パック。
【請求項２】
上記劣化度算出部は、上記電池の相対容量の７０％未満であるときに、上記測定部にて測定された開放電圧に基づき、上記電池の劣化度を算出することを特徴とする請求項１記載の電池パック。
【請求項３】
上記スイッチ部は、上記電池に対する充電を１秒以下の間隔でＯＮ／ＯＦＦすることを特徴とする請求項１記載の電池パック。
【請求項４】
１または２以上の電池に対する充電のＯＮ／ＯＦＦを１０回以上繰り返した後、上記電池の開放電圧を測定するステップと、
上記開放電圧に基づき、上記電池の劣化度を算出するステップと
を備えることを特徴とする劣化度の算出方法。
【発明の詳細な説明】
【技術分野】
【０００１】
この発明は、電池パックおよび劣化度の算出方法に関する。詳しくは、電池の劣化度を算出できる電池パックに関する。
【背景技術】
【０００２】
近年、携帯型電子機器の普及に伴って、二次電池の高容量化および軽量化が求められている。このような要求に応える二次電池として、電極反応物質にリチウムを用いたリチウムイオン二次電池が注目されている。
【０００３】
リチウムイオン二次電池は劣化すると、電池の動作時間が短くなってしまう。そこで、電池の劣化度を算出して表示などすることが望まれている。この要望に応える電池の劣化度の算出方法としては、充電中に充電ＯＦＦして開放電圧を測定し、この開放電圧に基づき電池の劣化度を算出する方法がある（例えば特許文献１参照）。
【０００４】
【特許文献１】特開２００１−２２８２２６号公報
【発明の開示】
【発明が解決しようとする課題】
【０００５】
しかしながら、上述の劣化度の算出方法では、開放電圧が安定せず正確な電池の劣化度を算出することは困難である。この安定しない要因として、周囲環境や接続部分の抵抗などが考えられる。そこで、充電ＯＦＦ時間を長くして、開放電圧を安定化することが考えられるが、実使用上で充電停止時間が長いと、充電時間が長くなってしまう。
【０００６】
したがって、この発明の目的は、充電時間を長くすることなく、電池の劣化度をより正確に算出することができる電池パックおよび劣化度の算出方法を提供することにある。
【課題を解決するための手段】
【０００７】
上述の課題を解決するために、この発明の第１の発明は、
１または２以上の電池と、
電池に対する充電をＯＮ／ＯＦＦするスイッチ部と、
電池の開放電圧を測定する測定部と、
スイッチ部により充電のＯＮ／ＯＦＦが１０回以上繰り返された後、測定部により測定された開放電圧に基づき、電池の劣化度を算出する劣化度算出部と
を備えることを特徴とする電池パックである。
【０００８】
この発明の第２の発明は、
１または２以上の電池に対する充電のＯＮ／ＯＦＦを１０回以上繰り返した後、電池の開放電圧を測定するステップと、
開放電圧に基づき、電池の劣化度を算出するステップと
を備えることを特徴とする劣化度の算出方法である。
【０００９】
この発明では、１または２以上の電池に対する充電のＯＮ／ＯＦＦを１０回以上繰り返した後、電池の開放電圧を測定するので、電池の開放電圧を安定させた後に開放電圧を測定することができる。
【００１０】
この発明において、劣化度算出部は、電池の相対容量の７０％未満であるときに、測定部にて測定された開放電圧に基づき、電池の劣化度を算出することが好ましい。ここで、相対容量は、電池パックの満充電容量に対する電池パックの残容量のことを示す。このように電池の相対容量の７０％未満とすると、充電電流が大きく、そのため充電中の閉回路電圧（ＯＮ状態の電圧）と開放電圧（ＯＦＦ状態の電圧）との差が大きくなるので、より正確に電圧を測定することができる。
【００１１】
この発明において、スイッチ部は、電池に対する充電を１秒以下の間隔でＯＮ／ＯＦＦすることが好ましい。このように充電を１秒以下の間隔でＯＮ／ＯＦＦすると、分極の影響を低減して開放電圧を測定することができる。
【発明の効果】
【００１２】
以上説明したように、この発明によれば、充電ＯＦＦ時間を長くすることなく、開放電圧をより正確に測定することができるので、充電時間を長くすることなく、電池の劣化度をより正確に求めることができる。
【発明を実施するための最良の形態】
【００１３】
（１）電池パックの構成
以下、図１を参照しながら、この発明の一実施形態による電池パックの構成について説明する。
【００１４】
図１に示すように、電池パックは、組電池１、ＣＰＵ（Central Processing Unit）２、ＡＦＥ（Analog Front End）３、スイッチ部（充放電制御ＦＥＴ）４、ヒューズ５、保護回路６、電流検出抵抗７、温度検出素子８，９および識別抵抗１０を備える。
【００１５】
電池パックは、正極端子１４および負極端子１５を備え、充電時には、正極端子１４、負極端子１５がそれぞれ充電器の正極端子、負極端子に接続され、充電が行われる。また、電子機器使用時には、正極端子１４、負極端子１５がそれぞれ電子機器の正極端子、負極端子に接続され、放電が行われる。
【００１６】
組電池１は、複数の二次電池１ａを直列および／または並列に接続してなる。この二次電池１ａは、例えばリチウムイオン二次電池である。なお、図１では、６つの二次電池１ａが、３直列２並列（３Ｓ２Ｐ）に接続された場合が例として示されている。
【００１７】
保護回路６は、組電池１およびそれを構成する各二次電池１ａの電圧を測定し、その測定電圧が所定電圧を越える場合には、ヒューズ５を溶断する。温度検出素子８は、例えばサーミスタであり、複数の電池の近傍に設けられ、組電池１の温度を測定し、この測定温度をＣＰＵ２に供給する。温度検出素子９は、例えばサーミスタであり、電池パックの温度を測定し、この測定温度を接続端子１８を介してノート型パーソナルコンピュータ（以下、ノート型ＰＣと称する）などの電子機器に供給する。識別抵抗１０は、ノート型ＰＣなどの電子機器が接続端子１９を介して電池パック種類の識別や、電池パックと機器との接続可否を判別するためのものである。
【００１８】
スイッチ部４は、充電制御ＦＥＴ（Field Effect Transistor）１２と、放電制御ＦＥＴ１３とを備える。スイッチ部４は、電池電圧が過充電検出電圧となったときは、充電制御ＦＥＴ１２をＯＦＦとし、充電電流が流れないように制御される。なお、充電制御ＦＥＴ１２のＯＦＦ後は寄生ダイオード１２ａを介することによって放電のみが可能となる。また、スイッチ部４は、電池電圧が過放電検出電圧となったときは、放電制御ＦＥＴ１３をＯＦＦとし、放電電流が流れないように制御される。なお、放電制御ＦＥＴ１３のＯＦＦ後は寄生ダイオード１３ａを介することによって充電のみが可能となる。
【００１９】
ＡＦＥ３は、組電池１およびそれを構成する各二次電池１ａの電圧を測定し、この測定電圧をＡ／Ｄ変換して、ＣＰＵ２に供給する。ＡＦＥ３は、電流検出抵抗７により電流を測定し、この測定電流をＣＰＵ２に供給する。
【００２０】
ＣＰＵ２は、温度検出素子８，９により電池温度を監視する。また、ＣＰＵ２は、不揮発性メモリであるＥＥＰＲＯＭ（Electrically Erasable and Programmable Read Only Memory）などのメモリ１１を備え、このメモリ１１には初期の満充電容量（Full Charge Capacity）や二次電池１ａの劣化度を考慮して補正された満充電容量（以下、補正満充電容量と称する）などの情報が記憶される。
【００２１】
ＣＰＵ２は、例えば、ＡＦＥ３から供給された閉回路電圧ＣＣＶ、開放電圧ＯＣＶおよび電流Ｉに基づき劣化度を算出し、この算出した劣化度に基づきメモリ１１に記憶された補正満充電容量を更新する。また、ＡＦＥ３から供給された閉回路電圧ＣＣＶ、開放電圧ＯＣＶおよび電流Ｉと、温度検出素子８により測定された温度Ｔとに基づき劣化度を算出し、この算出した劣化度に基づきメモリ１１に記憶された補正満充電容量を更新するようにしてもよい。劣化度の算出方法としては、例えば、従来公知の算出方法を用いることができる。また、ＣＰＵ２は、算出した劣化度を通信端子１６および通信端子１７を介してノート型ＰＣなどの電子機器に供給し、劣化度が供給された電子機器が、その電子機器に備えられた液晶表示装置などの表示部に劣化度を表示するようにしてもよい。
【００２２】
ＣＰＵ２は、ＡＦＥ３を介してスイッチ部４を制御して、充電電流をＯＮ／ＯＦＦする。例えば、ＣＰＵ２は、二次電池１ａのいずれかの電圧が過充電検出電圧になったときや、二次電池１ａのいずれかの電圧が過放電検出電圧以下になったとき、ＡＦＥ３を介してスイッチ部４に制御信号を送ることにより、過充電および過放電を防止する。ここで、リチウムイオン二次電池の場合、過充電検出電圧が例えば４．２Ｖ±０．５Ｖと定められ、過放電検出電圧が例えば２．４Ｖ±０．１Ｖと定められる。
【００２３】
ＣＰＵ２は、ＡＦＥ３を介してスイッチ部４を制御して、図２に示すように、充電電流を繰り返しＯＮ／ＯＦＦする。ＣＰＵ２は、充電電流のＯＮ／ＯＦＦを１０回以上繰り返した後の開放電圧ＯＣＶに基づき、上述の電池の劣化度を算出することが好ましい。充電のＯＮ／ＯＦＦを１０回以上繰り返すと、二次電池１ａの開放電圧ＯＣＶが安定するからである。
【００２４】
ＣＰＵ２は、相対容量７０％未満の電池容量の低い段階にて測定された開放電圧ＯＣＶに基づき、上述の電池の劣化度を算出することが好ましい。電池の相対容量の７０％以下とすると、充電電流が大きく、そのため充電中の閉回路電圧（ＯＮ状態の電圧）ＣＣＶと開放電圧（ＯＦＦ状態の電圧）ＯＣＶとの差が大きくなるので、より正確に電圧を測定することができるからである。
【００２５】
ＣＰＵ２は、図２に示すように、１秒以下の速い周期で充電電流を繰り返しＯＮ／ＯＦＦすることが好ましい。充電をＯＦＦするとすぐに電圧が垂直に降下するが、分極の影響で電圧の降下は鈍くなるため、１秒以下という速い周期で充電のＯＮ／ＯＦＦを行うことにより、分極の影響を極力低減して電圧を測定できるからである。
【００２６】
（２）二次電池の構成
以下、図３〜４を参照しながら、上述の二次電池１ａの構成の一例について説明する。
【００２７】
図３に示すように、二次電池１ａは、いわゆる円筒型といわれるものであり、ほぼ中空円柱状の電池缶２１の内部に、帯状の正極３１と帯状の負極３２がセパレータ３３を介して巻回された巻回電極体３０を有している。セパレータ３３には、液状の電解質である電解液が含浸されている。電池缶２１は、例えばニッケル（Ｎｉ）のめっきがされた鉄（Ｆｅ）により構成されており、一端部が閉鎖され他端部が開放されている。電池缶２１の内部には、巻回電極体３０を挟むように巻回周面に対して垂直に一対の絶縁板２２、２３がそれぞれ配置されている。
【００２８】
電池缶２１の開放端部には、電池蓋２４と、この電池蓋２４の内側に設けられた安全弁機構２５および熱感抵抗（ＰＴＣ：Positive Temperature Coefficient）素子２６が、ガスケット２７を介してかしめられることにより取り付けられており、電池缶２１の内部は密閉されている。電池蓋２４は、例えば、電池缶２１と同様の材料により構成されている。安全弁機構２５は、熱感抵抗素子２６を介して電池蓋２４と電気的に接続されており、内部短絡あるいは外部からの加熱などにより電池の内圧が一定以上となった場合にディスク板２５Ａが反転して電池蓋２４と巻回電極体３０との電気的接続を切断するようになっている。熱感抵抗素子２６は、温度が上昇すると抵抗値の増大により電流を制限し、大電流による異常な発熱を防止するものである。ガスケット２７は、例えば、絶縁材料により構成されており、表面にはアスファルトが塗布されている。
【００２９】
巻回電極体３０は、例えば、センターピン３４を中心に巻回されている。巻回電極体３０の正極３１にはアルミニウム（Ａｌ）などよりなる正極リード３５が接続されており、負極３２にはニッケル（Ｎｉ）などよりなる負極リード３６が接続されている。正極リード３５は安全弁機構２５に溶接されることにより電池蓋２４と電気的に接続されており、負極リード３６は電池缶２１に溶接され電気的に接続されている。
【００３０】
図４に示すように、巻回電極体３０は、正極３１と負極３２とをセパレータ３３を介して積層し、巻回したものである。
【００３１】
正極３１は、例えば、正極集電体３１Ａと、この正極集電体３１Ａの両面に設けられた正極活物質層３１Ｂとを有している。正極集電体３１Ａは、例えば、アルミニウム箔などの金属箔により構成されている。
【００３２】
正極活物質層３１Ｂは、正極活物質と、必要に応じて炭素材料などの導電材およびポリフッ化ビニリデンあるいはポリテトラフルオロエチレンなどの結着材とを含んでいる。
【００３３】
正極活物質としては、例えば、リチウムと遷移金属との複合酸化物を用いることができる。具体的には、ＬｉＣｏＯ2、ＬｉＮｉＯ2、ＬｉＭｎ2Ｏ4などを用いることができる。また、遷移金属元素の一部を他の元素に置換した固溶体も用いることが可能であり、例えば、ＬｉＮｉ0.5Ｃｏ0.5Ｏ2、ＬｉＮｉ0.8Ｃｏ0.2Ｏ2、ＬｉＮｉ0.5Ｃｏ0.2Ｍｎ0.3Ｏ2などを用いることができる。
【００３４】
負極３２は、例えば、負極集電体３２Ａと、この負極集電体３２Ａの両面に設けられた負極活物質層３２Ｂとを有している。負極集電体３２Ａは、例えば、銅箔などの金属箔により構成されている。
【００３５】
負極活物質層３２Ｂは、例えば、負極活物質として、リチウムを吸蔵および放出することが可能な負極材料のいずれか１種または２種以上を含んで構成されており、必要に応じて導電材および結着材を含んでいてもよい。
【００３６】
負極活物質としては、例えば、リチウム金属、リチウム合金、リチウムをドープ・脱ドープ可能な炭素材料または金属系材料と炭素系材料との複合材料を用いることができる。具体的に、リチウムをドープ・脱ドープ可能な炭素材料としては、グラファイト、難黒鉛化炭素、易黒鉛化炭素などを使用できる。グラファイトとしては、例えば、メソフェーズカーボンマイクロビーズ、カーボンファイバーなどの人造黒鉛や天然黒鉛が使用できる。リチウムを合金化可能な材料としては、多様な種類の金属などが使用可能であるが、例えば、スズ（Ｓｎ）、コバルト（Ｃｏ）、インジウム（Ｉｎ）、Ａｌ、ケイ素（Ｓｉ）およびこれらの合金を用いることができる。金属リチウムを使用する場合は、必ずしも粉体を結着剤で塗布膜にする必要はなく、圧延したＬｉ金属板でもかまわない。
【００３７】
セパレータ３３は、電気的に安定であるとともに、正極活物質、負極活物質あるいは電解液に対して化学的に安定であり、かつ電気伝導性を有していなければどのようなものを用いてもよい。例えば、高分子の不織布、多孔質フィルム、ガラスあるいはセラミックスの繊維を紙状にしたものを用いることができ、これらを複数積層して用いてもよい。特に、多孔質ポリオレフィンフィルムを用いることが好ましく、これをポリイミド、ガラスあるいはセラミックスの繊維などよりなる耐熱性の材料と複合させたものを用いてもよい。
【００３８】
電解液は、電解質塩と、この電解質塩を溶解する溶媒とを含んでいる。電解質塩としては、例えば、ＬｉＣｌＯ4、ＬｉＰＦ6、ＬｉＢＦ4、ＬｉＮ（ＳＯ2ＣＦ3）2、ＬｉＮ（ＳＯ2Ｃ2Ｆ5）2、あるいはＬｉＡｓＦ6などのリチウム塩が挙げられる。電解質塩にはいずれか１種を用いてもよいが、２種以上を混合して用いてもよい。
【００３９】
溶媒としては、例えば、γ−ブチロラクトン、γ−バレロラクトン、δ−バレロラクトンあるいはε−カプロラクトンなどのラクトン系溶媒、炭酸エチレン、炭酸プロピレン、炭酸ブチレン、炭酸ビニレン、炭酸ジメチル、炭酸エチルメチルあるいは炭酸ジエチルなどの炭酸エステル系溶媒、１，２−ジメトキシエタン、１−エトキシ−２−メトキシエタン、１，２−ジエトキシエタン、テトラヒドロフランあるいは２−メチルテトラヒドロフランなどのエーテル系溶媒、アセトニトリルなどのニトリル系溶媒、スルフォラン系溶媒、リン酸類、リン酸エステル溶媒、またはピロリドン類などの非水溶媒が挙げられる。溶媒は、いずれか１種を単独で用いてもよく、２種以上を混合して用いてもよい。
【００４０】
（３）電池パックの動作
以下、図５を参照しながら、この発明の一実施形態による電池パックの動作について説明する。
【００４１】
まず、ステップＳ１において、ＣＰＵ１１が、二次電池１ａの相対容量が７０％未満であるか否かを判断する。ステップＳ１にて７０％未満であると判断した場合には処理はステップＳ２に進み、ステップＳ１にて７０％未満でないと判断した場合には処理は終了となる。
【００４２】
ステップＳ２において、ＣＰＵ１１が、ＡＦＥ３を介してスイッチ部４を制御して充電電流を繰り返してＯＮ／ＯＦＦし、ステップＳ３において、充電電流のＯＮ／ＯＦＦを１０回以上繰り返したか否かを判断する。ステップＳ３にて充電電流のＯＮ／ＯＦＦを１０回以上繰り返したと判断した場合には、処理はステップＳ４に進み、ステップＳ３にて充電電流のＯＮ／ＯＦＦを１０回以上繰り返していないと判断した場合には、処理はステップＳ２に戻る。
【００４３】
ステップＳ４において、ＣＰＵ２が、ＡＦＥ３を介して閉回路電圧ＣＣＶ、開放電圧ＯＣＶおよび電流Ｉを測定するとともに、必要に応じて温度検出素子８により温度Ｔを測定する。次に、ステップＳ５において、ステップＳ４にて測定された測定値に基づき劣化度を算出する。例えば、ステップＳ４にて測定された測定値に基づき、（ＣＣＶ−ＯＣＶ）／Ｉ＝内部抵抗（Ｒ１）を算出し、電池パックの製造時の内部抵抗（Ｒ２）より劣化度＝（Ｒ１−Ｒ２）／Ｒ２を算出できる。なお、電池パックの製造時の内部抵抗（Ｒ２）は、例えばメモリ１１に予め記憶されている。
【００４４】
次に、ステップＳ６において、ＣＰＵ２が、ステップＳ５にて算出された劣化度により、メモリ１１に記憶された補正満充電容量を更新する。例えば、ＣＰＵ２が、メモリ１１から初期の満充電容量を読み出し、この初期の満充電容量に劣化度（％）を乗じて、初期の満充電容量を補正し、この補正満充電容量によりメモリ１１に記憶された補正満充電容量を更新する。
【００４５】
上述のしたように、この一実施形態による電池パックでは、充電電流のＯＮ／ＯＦＦを１０回以上繰り返して開放電圧ＯＣＶを安定させた後に、開放電圧ＯＣＶを測定し、この開放電圧ＯＣＶを用いて電池の劣化度を算出し、この電池の劣化度を用いて満充電容量を補正するので、電池本来の満充電容量を正確に知ることができる。したがって、二次電池１ａにとって最適な制御を行うことができるので、二次電池１ａを余分に劣化させることなく、最大限に二次電池１ａの容量を引き出すことが可能となる。
【実施例】
【００４６】
以下、実施例によりこの発明を具体的に説明するが、この発明は実施例のみに限定されるものではない。
【００４７】
まず、以下のようにしてリチウムイオン二次電池を作製した。
【００４８】
正極活物質としてＬｉＣｏＯ2（９６ｗｔ％）と、導電剤としてケッチェンブラック（１ｗｔ％）と、結着剤としてポリフッ化ビニリデン（３ｗｔ％）とを混合して正極合剤を調整した後に、Ｎ−メチル−２−ピロリドン中に分散させて正極合剤スラリーとした。そして、この正極合剤スラリーをアルミニウムからなる正極集電体上に塗布して乾燥させ、ローラープレスにより一定圧力で圧縮成型することにより、帯状の正極３１を作製した。
【００４９】
次に、負極活物質としてグラファイト（９４ｗｔ％）と、結着剤としてポリフッ化ビニリデン（６ｗｔ％）とをＮ−メチル−２−ピロリドン中に分散させて負極合剤スラリーとした。そして、この負極合剤スラリーを負極集電体となる帯状銅箔に均一に塗布して乾燥させ、一定圧力で圧縮成型することにより、帯状の負極３２を作製した。
【００５０】
上述のようにして作製した帯状の正極と帯状の負極とを、厚さ２０μｍを有する微多孔性ポリエチレンフィルムからなるセパレータを介して、負極および正極を積層して巻回し、渦巻型の巻回電極体を作製した。
【００５１】
次に、この巻回電極体を、ニッケルメッキを施した鉄製の電池缶に収納した。そして、巻回電極体の上下両面に絶縁板を配設し、アルミニウム製の正極リードを正極集電体から導出して電池蓋に溶接し、ニッケル製の負極リードを負極集電体から導出して電池缶に溶接した。
【００５２】
次に、電池缶の中に、エチレンカーボネートとジメチルカーボネートを１対１で混合した溶液にＬｉＰＦ6を１ｍｏｌ／ｌとなるように調整した電解液を注入した。次に、アスファルトで表面を塗布したガスケットを介して電池缶をかしめることにより、電流遮断機構を有する安全弁機構、熱感抵抗素子並びに電池蓋を固定し、電池内の機密性を保持させ、直径１８ｍｍ、高さ６５ｍｍである円筒型のリチウムイオン二次電池を作製した。
【００５３】
次に、上述のようにして得られたリチウムイオン二次電池を用いて、図１に示す電池パックを作製した。そして、作製された電池パックに対して充電を行った。その際、相対容量７０％未満の区間において、充電電流のＯＮ／ＯＦＦを１秒間隔で繰り返し、充電電流ＯＮ／ＯＦＦの波形を測定した。図６に、充電電流をＯＮ／ＯＦＦしたときの波形を示す。
【００５４】
図６から、充電電流ＯＮ／ＯＦＦ１０回未満までの（ａ）区間では、開放電圧ＯＣＶが不安定であるのに対して、充電電流ＯＮ／ＯＦＦ１０回以上の（ｂ）区間では、開放電圧ＯＣＶが安定であることが分かる。したがって、相対容量７０％未満の段階において、充電電流ＯＮ／ＯＦＦを１秒以下の間隔で１０回以上繰り返した後に測定された開放電圧ＯＣＶに基づき、電池の劣化度を算出することが好ましいことが分かる。
【００５５】
以上、この発明の実施形態について具体的に説明したが、この発明は、上述の実施形態に限定されるものではなく、この発明の技術的思想に基づく各種の変形が可能である。
【００５６】
例えば、上述の実施形態において挙げた数値はあくまでも例に過ぎず、必要に応じてこれと異なる数値を用いてもよい。
【００５７】
また、上述の実施形態においては、電解質として非水電解液を備える非水電解質二次電池に対してこの発明を適用した例について説明したが、固体電解質またはゲル状電解質を備える非水電解質二次電池に対してこの発明を適用するようにしてもよい。
【図面の簡単な説明】
【００５８】
【図１】この発明の一実施形態による電池パックの構成の一例を示すブロック図である。
【図２】この発明の一実施形態による電池パックの充電ＯＮ／ＯＦＦ時の波形を示す略線図である。
【図３】この発明の一実施形態による電池パックに備えられた二次電池の構成の一例を示す断面図である。
【図４】この発明の一実施形態による電池パックに備えられた二次電池の構成の一例を示す拡大断面図である。
【図５】この発明の一実施形態による電池パックの動作の一例を説明するためのフローチャートである。
【図６】この発明の実施例による電池パックの充電ＯＮ／ＯＦＦ時の波形を示す略線図である。
【符号の説明】
【００５９】
１・・・組電池、１ａ・・・二次電池、２・・・ＣＰＵ、３・・・ＡＦＥ、４・・・スイッチ部、５・・・ヒューズ、６・・・保護回路、７・・・電流検出抵抗、８，９・・・温度検出素子、１０・・・識別抵抗、１１・・・メモリ、１２・・・充電制御ＦＥＴ、１３・・・放電制御ＦＥＴ、１２ａ，１３ａ・・・寄生ダイオード、２１・・・電池缶、２２，２３・・・絶縁板、２４・・・電池蓋、２５・・・安全弁機構、２６・・・熱感抵抗素子、２７・・・ガスケット、３０・・・巻回電極体、３１・・・正極、３１Ａ・・・正極集電体、３１Ｂ・・・正極活物質層、３２・・・負極、３２Ａ・・・負極集電体、３２Ｂ・・・負極活物質層、３３・・・セパレータ、３４・・・センターピン、３５・・・正極リード、３６・・・負極リード
【図１】
2008041280.tif 000003
【図２】
2008041280.tif 000004
【図３】
2008041280.tif 000005
【図４】
2008041280.tif 000006
【図５】
2008041280.tif 000007
【図６】
2008041280.tif 000008